(57)【要約】【課題】提供者側から提供されるバックミュージック、ボーカル等の音楽情報を需要者側で任意に組合せて再生できるようにする。【解決手段】衛星放送受信部１は、歌詞、楽音、コーラス音の音楽情報を各々が帰属する曲を表すタグと共に受信し、記録再生部４はこの音楽情報をタグと関連付けてＨＤ駆動部３により保存する。ＣＤ駆動部２は、音楽情報としてボーカルデータを記録したＣＤの再生を行う。記録再生部４は、指示された曲に対応した各音楽情報を各々のタグに基づいて選択し再生する。また、音楽情報の種類が指定された場合は、指定されたもののみを選択して再生する。【選択図】図３
2007133440.tif 000002
【特許請求の範囲】
【請求項１】
曲を構成する素材または曲に付随した素材である音楽情報と、当該音楽情報が帰属する曲を示す識別情報とを関連付けて入力する入力手段と、
前記入力手段により識別情報と関連付けて入力された各音楽情報の中から、再生が指示された曲に対応する識別情報と関連付けられている複数の音楽情報を選択し、当該音楽情報を用いて再生処理を行う選択再生手段と
を具備することを特徴とする音楽情報再生装置。
【請求項２】
再生する音楽情報の種類を指定する指定手段をさらに備え、
前記選択再生手段は、前記入力手段により識別情報と関連付けて入力された各音楽情報の中から、再生が指示された曲に対応する識別情報と関連付けられており、かつ前記指定手段により指定された種類の音楽情報を選択し、当該音楽情報を用いて再生処理を行う
ことを特徴とする請求項１記載の音楽情報再生装置。
【請求項３】
前記入力手段は、前記音楽情報と前記識別情報を有線通信または無線通信により受信する受信手段である
ことを特徴とする請求項１または２に記載の音楽情報再生装置。
【請求項４】
前記入力手段は、衛星放送を介して前記音楽情報と前記識別情報を受信する衛星放送受信手段である
ことを特徴とする請求項１または２に記載の音楽情報再生装置。
【請求項５】
前記入力手段は、前記音楽情報と前記識別情報を記録媒体から読み出して再生する記録媒体再生手段である
ことを特徴とする請求項１または２に記載の音楽情報再生装置。
【請求項６】
前記音楽情報がＭＩＤＩイベントを含み、前記選択再生手段が前記ＭＩＤＩイベントに対応した楽音信号を形成する音源を具備する
ことを特徴とする請求項１〜５のいずれかに記載の音楽情報再生装置。
【請求項７】
前記音楽情報が音声波形の符号化データを含み、前記入力手段または前記選択再生手段が前記符号化データを復号化する手段を具備する
ことを特徴とする請求項１〜５のいずれかに記載の音楽情報再生装置。
【請求項８】
前記音楽情報が歌詞表示を指令する歌詞データを含み、前記選択再生手段が前記歌詞データに対応した歌詞を表示する画像表示手段を具備する
ことを特徴とする請求項１〜５のいずれかに記載の音楽情報再生装置。
【発明の詳細な説明】
【技術分野】
【０００１】
この発明は、音楽情報再生装置に関する。
【背景技術】
【０００２】
技術の進歩により、音楽を提供する形態も多様化してきた。例えば一昔前は専らレコードにより音楽が提供されていたが、現在は、コンパクトディスク等、多種多様な記録媒体により音楽が提供されている。また、通信技術の進歩は、音楽を高い品質で聴者に提供することを可能にした。特に最近の衛星放送では、データ圧縮技術等の活用により、多くの種類の音楽が極めて優れた音質で提供されている。
【発明の開示】
【発明が解決しようとする課題】
【０００３】
さて、以上のようにして需要者に提供される音楽は、独奏曲等の特別の場合を除き、メロディ、リズム、ボーカル等の複数のパートによって構成されているのが一般的である。そして、これらのすべてのパートを含む１つのまとまった完成品としての曲が上述の多種多様な形態で需要者に提供されるのである。なお、カラオケ等においては、ボーカルの欠けた音楽が通信あるいは記録媒体を利用して提供されるが、需要者にとっては、始めからボーカルのない曲が１つのまとまった完成品として提供されているに過ぎない。
【０００４】
このように音楽は曲という１つのまとまった単位で需要者に提供されるが、需要者が望む音楽の楽しみ方は、多種多様であり、完成品としての曲だけでなく、それに含まれる１または複数のパートの演奏を楽しみたいという需要もある。また、この場合において、需要者が欲するパートの組合せは同じ曲を聴く場合であっても需要者によって区々である。
【０００５】
需要者側において、提供者側から提供される曲の任意のパートを組合せて楽しむことができれば好都合であるが、かかる意義に適う技術的手段は従来なかった。
【０００６】
この発明は、以上説明した事情に鑑みてなされたものであり、提供者側から提供される音楽情報を需要者側で任意に組合せて再生することを可能にする音楽情報再生装置を提供することを目的としている。
【課題を解決するための手段】
【０００７】
請求項１に係る発明は、曲を構成する素材または曲に付随した素材である音楽情報と、当該音楽情報が帰属する曲を示す識別情報とを関連付けて入力する入力手段と、前記入力手段により識別情報と関連付けて入力された各音楽情報の中から、再生が指示された曲に対応する識別情報と関連付けられている複数の音楽情報を選択し、当該音楽情報を用いて再生処理を行う選択再生手段とを具備することを特徴とする音楽情報再生装置を要旨とする。
【０００８】
請求項２に係る発明は、再生する音楽情報の種類を指定する指定手段をさらに備え、前記選択再生手段は、前記入力手段により識別情報と関連付けて入力された各音楽情報の中から、再生が指示された曲に対応する識別情報と関連付けられており、かつ前記指定手段により指定された種類の音楽情報を選択し、当該音楽情報を用いて再生処理を行うことを特徴とする請求項１記載の音楽情報再生装置を要旨とする。
【０００９】
請求項３に係る発明は、前記入力手段は、前記音楽情報と前記識別情報を有線通信または無線通信により受信する受信手段であることを特徴とする請求項１または２に記載の音楽情報再生装置を要旨とする。
【００１０】
請求項４に係る発明は、前記入力手段は、衛星放送を介して前記音楽情報と前記識別情報を受信する衛星放送受信手段であることを特徴とする請求項１または２に記載の音楽情報再生装置を要旨とする。
【００１１】
請求項５に係る発明は、前記入力手段は、前記音楽情報と前記識別情報を記録媒体から読み出して再生する記録媒体再生手段であることを特徴とする請求項１または２に記載の音楽情報再生装置を要旨とする。
【００１２】
請求項６に係る発明は、前記音楽情報がＭＩＤＩイベントを含み、前記選択再生手段が前記ＭＩＤＩイベントに対応した楽音信号を形成する音源を具備することを特徴とする請求項１〜５のいずれかに記載の音楽情報再生装置を要旨とする。
【００１３】
請求項７に係る発明は、前記音楽情報が音声波形の符号化データを含み、前記入力手段または前記選択再生手段が前記符号化データを復号化する手段を具備することを特徴とする請求項１〜５のいずれかに記載の音楽情報再生装置を要旨とする。
【００１４】
請求項８に係る発明は、前記音楽情報が歌詞表示を指令する歌詞データを含み、前記選択再生手段が前記歌詞データに対応した歌詞を表示する画像表示手段を具備することを特徴とする請求項１〜５のいずれかに記載の音楽情報再生装置を要旨とする。
【発明の効果】
【００１５】
本発明によれば、提供者側から提供されるバックミュージック、ボーカル、歌詞等の音楽情報を需要者側で任意に組合せて再生することができるので、音楽についての多種多様な需要に対応することができるという効果がある。また、従来は完成品としての曲のみが需要者に提供されていたが、本発明の活用により、音楽の提供者は曲の素材を需要者に提供し、需要者側において任意に素材を組合わせるという新たな音楽の供給形態が生じるので、完成した曲の提供を行う産業のみならず、個々の素材を提供する産業の発達を図ることができる。
【発明を実施するための最良の形態】
【００１６】
以下、本発明を更に理解しやすくするため、図面を参照し、本発明の実施の形態である音楽情報提供システムについて説明する。なお、かかる実施の形態は、本発明の一態様を示すものであり、この発明を限定するものではなく、本発明の範囲で任意に変更可能である。
【００１７】
本実施形態に係る音楽情報提供システムは、曲を構成する素材を表す音楽情報または曲に付随した素材を表す音楽情報を提供する提供者とこの音楽情報を取得して曲を再生する需要者とによって構成される。
【００１８】
提供者側では、例えばボーカルとバックミュージックといった具合に曲を幾つかの構成要素（素材）に分け、各々を表現した音楽情報を作成する。また、曲の構成要素ではないが、例えば歌詞等の曲に付随したものをも同等に扱い、この歌詞等についても音楽情報を作成する。そして、このようにして作成した各音楽情報を各々が同一の曲に帰属することを示す識別情報と共に需要者に向けて供給する。
【００１９】
図１および図２は、本実施形態において供給者側から供給する音楽情報および識別情報を例示したものである。
【００２０】
まず、図１に示す例は、１つの曲をボーカルとそれ以外の部分とに分け、ボーカルを表現したボーカルデータと、それ以外の曲データおよび歌詞データ等からなるデータを各々音楽情報として供給するものである。
【００２１】
ここで、各音楽情報の先頭には、タグＴＡＧ１およびＴＡＧ２が各々付加されている。これらのタグＴＡＧ１およびＴＡＧ２は、各音楽情報が同一の音楽に係るものであることを示す識別情報を含んでいる。
【００２２】
次に図２に示す例は、１つの音楽を男声ボーカルと、女声ボーカルと、ｎ個の楽器演奏パートとに分け、各々を表現したボーカルデータまたは曲データを各々音楽情報として供給するものである。なお、この例において、図中最下部に示した音楽情報は、第ｎ番目のパートの曲データの他、歌詞データ等をも含んでいる。
【００２３】
前掲図１の場合と同様、男声ボーカルデータおよび女声ボーカルデータにはタグＴＡＧ１−１およびＴＡＧ１−２が、ｎ個の曲データにはＴＡＧ２−１〜ＴＡＧ２−ｎが各々付加されており、これらのタグ（厳密にはタグに含まれた識別情報）により各音楽情報が同一の曲に帰属することが明らかにされている。
【００２４】
各音楽情報のうちボーカルデータには、上記の識別情報を含むタグの他、曲の進行に合わせたタイミングでボーカル音の再生を行うための同期用タグが含まれている（図示略）が、その詳細については後述する。また、ボーカルデータ、曲データ等の詳細についても後述する。
【００２５】
このように本実施形態においては、各音楽情報を各々がいずれの曲に帰属するかを示す識別情報とともに需要者に向けて供給する。従って、各音楽情報がたとえ別々の経路を介して需要者の元へ供給されたとしても、需要者側では各音楽情報の先頭に付加されたタグを識別することにより、各音楽情報が同一の音楽に帰属することを知ることができるのである。すなわち、従来は曲を１つの完成物として需要者に提供していたのに対し、本実施形態では、曲を構成する素材あるいは曲に付随した素材の各々に完成品としての地位を認め、これらを各々独立に需要者に提供するものである。個々の素材は適切に組合せれば別の１つの完成品である曲を構成することになるが、いかなる素材を組合せるかは各々に付されたタグに基づき需要者側で任意に決定すればよいのである。
【００２６】
なお、識別情報は、図１および図２に示すように音楽情報と一体化して需要者に供給する他、音楽情報と分離して供給してもよい。例えば、「音楽情報を何時何分に送る」といった予告を行い、その予定された時刻において当該音楽情報を送信するようにしてもよい。この場合、事前に行われた予告の内容が識別情報ということになる。要は、需要者側において音楽情報とその識別情報とを対応付けることができるよう音楽情報と識別情報とを関連付けて供給すればよいのであり、必ずしも両者を一体のものとして供給する必要はない。
【００２７】
音楽情報および識別情報は、例えば以下の形態により提供者から需要者へ供給する。
ａ．記録媒体に音楽情報およびタグを記録し出荷する形態
記録媒体としては、例えばＣＤ（コンパクトディスク）、ＭＤ（ミニディスク）等が考えられる。
ｂ．音楽情報およびタグを通信手段により送信する形態
通信の形態は、各種考えられ、無線通信、有線通信のいずれを利用することも可能である。例えば、衛星放送等の無線通信手段により音楽情報等を不特定多数の需要者に向けて送信する他、有線回線を通じて特定の需要者に供給するようにしてもよい。
ｃ．１つの曲の各音楽情報のうち特定の種類のものについては記録媒体に記録して出荷し、他の種類のものについては通信手段により送信する形態
【００２８】
次に、需要者側の装置について説明する。図３は本実施形態に係る音楽情報再生装置の構成を示すブロック図である。本実施形態に係る音楽情報再生装置は、カラオケ装置として利用されるものであり、上述した音楽情報の入力手段として、衛星放送受信部１およびＣＤ再生部２を有している。この音楽情報再生装置は、前掲図１に示す各音楽情報をこれらの各手段によって受け取り、音楽として再生するものである。
【００２９】
衛星放送受信部１は、通信衛星から放送された音楽情報およびタグを受信し復調する手段である。本実施形態では、曲データ、歌詞データおよびハモリ制御データからなる音楽情報がタグとともに通信衛星から放送され、衛星放送受信部１によって受信される。ここで、曲データは、曲を構成する楽器音およびコーラス音を発生するための時系列データであり、楽器音の発音を指示するＭＩＤＩイベントと、コーラス音波形を表すＡＤＰＣＭ（適応予測符号化）データと、コーラス音の発音を指示するＡＤＰＣＭ再生イベントとが混在した内容となっている。なお、曲データ、歌詞データおよびハモリ制御データの具体的内容については後述する。
【００３０】
ＣＤ再生部２は、ＣＤから情報を読み取る手段である。このＣＤ再生部２が取扱うＣＤの記録面には、ボーカル音波形を所定のサンプリング周波数で符号化し、さらに圧縮処理を施したボーカルデータがタグと共に記録されている。ＣＤ再生部２は、記録再生部４による制御の下、ＣＤからボーカルデータを読み出し、このボーカルデータに伸張処理を施すことにより、ボーカル音を表すリニアＰＣＭデータを出力する。なお、ＣＤ再生部２は、伸張処理を行うことなくボーカルデータをそのまま出力し、記録再生部４内においてボーカルデータの伸張処理を行うように構成してもよい。
【００３１】
ＨＤ（ハードディスク）駆動部３は、記録再生部４による制御の下、衛星放送受信部１によって取得される音楽情報およびタグのＨＤへの格納およびＨＤからの再生を行う手段である。
【００３２】
記録再生部４は、この音楽情報再生装置の最も特徴的な手段であり、主として以下の機能を営む。
【００３３】
ａ．音楽情報をタグ別にＨＤに保存する機能
衛星放送受信部１から音楽情報およびタグを受け取り、各々を相互に関連付け、ＨＤ駆動部３によりＨＤ内に保存する。
【００３４】
ｂ．音楽情報の再生
ＨＤには、各曲の曲データ、歌詞データおよびハモリ制御データが各々の帰属する曲を特定するタグと関連付けられた状態で格納されている。また、ＣＤには、各曲のボーカルデータが各々の帰属する曲を特定するタグと関連付けられた状態で格納されている。図示しない操作部の操作により、再生すべき曲の指定がなされると、記録再生部４は、その曲に対応したタグを求める。そして、ＨＤ駆動部３またはＣＤ再生部２に指令を送ることにより、このタグに関連付けられた曲データ、ボーカルデータ等の音楽情報をＨＤおよびＣＤから選択して再生する。ここで、ＨＤから読み出される曲データはコーラス音のＡＤＰＣＭデータを含んでいるが、このＡＤＰＣＭデータは記録再生部４によってリニアＰＣＭデータに復号化される。
【００３５】
また、この音楽情報再生装置においては、図示しない操作部の操作により、再生すべきパートを指定することができる。このパートの指定が行われた場合、記録再生部４は、ＨＤ駆動部３またはＣＤ再生部２に指令を送ることにより、指定されたパートの音楽情報のみをＨＤまたはＣＤから再生する。
【００３６】
なお、以上説明した各音楽情報のＣＤまたはＨＤからの再生タイミングの制御については後述する。
【００３７】
ｃ．ＨＤまたはＣＤから再生した音楽情報の振り分け
ＣＤからはボーカル音のリニアＰＣＭデータが再生される。また、ＨＤからは曲データ、歌詞データおよびハモリ制御データが再生される。記録再生部４は、これらの各情報を各々適切な装置に振り分ける。さらに詳述すると、ＣＤ再生部２からはボーカル音のリニアＰＣＭデータが出力されるが、記録再生部４は、これをボーカル用ＤＳＰ６へ供給する。また、ＨＤ駆動部３によって読み出される曲データは、ＭＩＤＩイベントとコーラス音のＡＤＰＣＭデータとを含んでいるが、ＭＩＤＩイベントは音源７へ供給し、ＡＤＰＣＭデータはリニアＰＣＭデータに変換してバックミュージック用ＤＳＰ５へ供給する。また、歌詞データは画像処理部８へ、ハモリ制御データは図示しないボーカルアダプタへ供給する。
【００３８】
次に、このようにして記録再生部４によって振り分けられた音楽情報を処理する各装置について説明する。
【００３９】
まず、バックミュージック用ＤＳＰ５およびボーカル用ＤＳＰ６は、記録再生部４を介して再生されるコーラス音およびボーカル音の各リニアＰＣＭデータに対し、各々必要に応じて各種の処理を施す。例えば、この音楽情報再生装置がカラオケ装置として使用される場合において、利用者によってキーの変更が指示される場合があるが、かかる場合にこれらの各ＤＳＰは、指示されたキーに合わせてリニアＰＣＭデータのピッチ周期を変更する。
【００４０】
次に、音源７は、いわゆるＭＩＤＩ音源であり、記録再生部４を介して再生されるＭＩＤＩイベントに従い、楽音信号を形成する。画像処理部８は、歌詞データに従って歌詞の画像情報を生成し、図示しないビデオ再生装置から再生される画像情報とこの歌詞の画像情報とを合成し、テレビジョン受像機９に供給する。これによりビデオ画像に歌詞を重ね合わせた画像がテレビジョン受像機９に表示される。
【００４１】
ミキサ１０には、バックミュージック用ＤＳＰ５、ボーカル用ＤＳＰ６、音源７の各出力信号が入力されるとともに、マイクロホン、Ａ／Ｄ変換器およびボーカルアダプタ（いずれも図示略）を介してデジタル音声信号が入力される。ミキサ１０は、これらの各信号を混合し、サウンドシステム１１から音として出力する。
【００４２】
次に、図４はＨＤから再生される歌詞データ、ハモリ制御データおよび曲データと、ＣＤから再生されるボーカルデータとを時系列的に示したものである。これらの音楽情報は、相互に若干異なった点もあるが、歌詞や音等の素材自体を表す素材情報とこの素材情報を素材として（すなわち、視覚によって把握できる歌詞や聴覚によって把握できる音として）外部に再生するタイミングを指定するタイミング情報を含む点において共通する。以下、この図４を参照し、記録再生部４による音楽情報の再生動作の詳細について説明する。
【００４３】
歌詞データは、画像処理部８に歌詞の表示を指令する歌詞表示イベントと、このイベントの実行タイミングまでの待ち時間を指定するデュレーションデータΔｔとを時系列的に編成したデータである。
【００４４】
曲の再生時において記録再生部４は、図示しない計時手段により経過時間の計測を行いつつＨＤからデュレーションデータΔｔおよび歌詞表示イベントを順次再生し、デュレーションデータΔｔ相当の時間の経過を待ってその後の歌詞表示イベントを画像処理部８に供給する、という動作を繰り返す。
【００４５】
ここで、１個の歌詞表示イベントは、歌詞表示指令、着色指令、色消去指令、…、着色指令、歌詞消去指令といった一連の指令を時系列的に編成したものである。これらの一連の指令は、記録再生部４により画像処理部８に順次供給される。この結果、まず、１行ないし２行の歌詞がテレビジョン受像機９に表示され、次いで歌詞の最初の言葉が着色され、その後、２番目の言葉が着色され、…という具合に、曲の進行に合わせて、歌詞の表示および歌うべき発声すべき言葉の着色が行われることとなる。
【００４６】
ハモリ制御データおよび曲データも基本的には歌詞データと同様な構成を有する時系列データである。まず、ハモリ制御データはハモリパート（コーラスパート）のピッチを指定するハモリ制御イベントとデュレーションデータΔｔとからなる。
【００４７】
曲の再生時において記録再生部４は、上記計時手段による経過時間の計測を行いつつＨＤからデュレーションデータΔｔおよびハモリ制御イベントを順次再生し、デュレーションデータΔｔ相当の時間の経過を待ってその後のハモリ制御イベントをボーカルアダプタ（図示略）に供給する、という動作を繰り返す。このハモリ制御データの供給は、上記歌詞データの画像処理部８への供給と並行して行われ、その供給タイミングの制御は上記歌詞データの場合と同じ計時手段を用いて行われる。
【００４８】
ボーカルアダプタでは、ハモリ制御イベントに従って、マイクロホンから入力されたボーカル音信号のピッチシフトが行われ、ハモリパートのピッチに対応したボーカル音信号が生成される。このハモリパートのボーカル音信号が元のボーカル音信号とともにミキサ１０に入力される。
【００４９】
曲データは、ＭＩＤＩイベントと、ＡＤＰＣＭ再生イベントと、デュレーションデータΔｔと、ＡＤＰＣＭデータテーブルとにより構成されている。
【００５０】
ＭＩＤＩイベントは、音源７に対し、特定の楽音信号の形成等を指令するイベントである。ＡＤＰＣＭデータテーブルは、各種のコーラス音に対応したＡＤＰＣＭデータによって構成されたテーブルである。ＡＤＰＣＭ再生イベントは、ＡＤＰＣＭデータテーブル内の特定のコーラス音のＡＤＰＣＭデータの再生を指令するイベントである。
【００５１】
ＭＩＤＩイベントは、上記歌詞表示イベントおよびハモリ制御イベントの場合と同様、デュレーションデータΔｔにより各々の実行タイミングが決定される。すなわち、各ＭＩＤＩイベントは、その前に置かれたデュレーションデータΔｔ相当の時間が経過した時点で音源７に送られ、音として出力される。
【００５２】
ＡＤＰＣＭ再生イベントは、基本的にはデュレーションデータΔｔにより決定されたタイミングにおいて音として再生されるが、この再生のための処理は、ある程度の時間を要するため、音の再生タイミングよりも前に時間的余裕を持って開始される。すなわち、ＡＤＰＣＭ再生イベントに対応した音をサウンドシステム１１から出力するに先立ち、当該イベントに対応したＡＤＰＣＭデータがＡＤＰＣＭデータテーブルから読み出され、リニアＰＣＭデータに変換される。そして、このリニアＰＣＭデータがバックミュージック用ＤＳＰ５に送られ、コーラス音となってサウンドシステム１１から出力される。このコーラス音の出力が、デュレーションデータΔｔにより決定されたタイミングにおいて行われるように、先行してＡＤＰＣＭデータの読み出しが行われるのである。図４には、３個のＡＤＰＣＭ再生イベントに対応し、３個のコーラス音のＡＤＰＣＭデータがＡＤＰＣＭデータテーブルから読み出され、これらの各ＡＤＰＣＭデータから生成される各コーラス音が各ＡＤＰＣＭ再生イベントの実行タイミングにおいて出力される様子が示されている。
【００５３】
以上説明した歌詞表示イベント、ハモリ制御イベント、ＭＩＤＩイベントおよびＡＤＰＣＭ再生イベントは、すべて共通の計時手段を用いて、各々の実行タイミング（音または画像として最終的に出力されるタイミング）が制御される。従って、歌詞表示、楽音、コーラス音が曲の進行に合わせて再生されることとなる。
【００５４】
そして、記録再生部４は、以上説明したＨＤ内の音楽情報の再生と並行し、ＣＤ再生部２によるボーカルデータの再生の制御を行う。ここで、ボーカルデータは、ＨＤ駆動部３とは別の再生系であるＣＤ再生部２によりＣＤから再生される。また、ＣＤ内のボーカルデータは圧縮処理が施されているため、再生時にはその伸張が行われる。従って、ＨＤからの音楽情報の再生開始と同時にＣＤ再生部２によるボーカルデータの再生を開始したとしても、曲が長時間に及ぶ場合には、例えば曲の進行に連れて次第にボーカルがバックミュージックから遅れる等の事態が生じ得る。
【００５５】
そこで、本実施形態では、予め１曲分のボーカルデータの随所に同期用のタグを挿入しておき、ボーカルデータの再生の際には、この同期用のタグを用いた同期化制御を行うことにより、曲の進行に合ったタイミングでボーカルデータに対応したボーカル音を再生するようにしている。以下、この同期用のタグを用いた同期化制御について説明する。
【００５６】
まず、ＣＤに記録されたボーカルデータは、図４に示すように、適当な大きさの複数のブロックによって構成されており、各ブロックの先頭に同期用のタグＴ０、Ｔ１、Ｔ２、…が付加されている。通常、人間は歌を歌っているときでも息つぎをするので、１曲分のボーカル音も適当な長さの複数の音声波形のブロックに分れることとなる。従って、これらの音声波形のブロック毎にボーカルデータのブロックを作成し、各々にタグを付加すればよい。各タグＴ０、Ｔ１、Ｔ２、…は、各々の付加されたボーカルデータに対応したボーカル音を再生すべきタイミング、すなわち、曲再生開始後から何秒後にそのボーカル音を再生すべきかを指定するタイミング情報を含んでいる。
【００５７】
記録再生部４は、ＨＤからの他の音楽情報の再生と並行し、ＣＤ再生部２により、上記ブロック単位でボーカルデータのＣＤからの読み出しおよび伸張処理を行う。そして、これにより得られる各リニアＰＣＭデータを、元の各ボーカルデータに付加されていた同期用タグＴ０、Ｔ１、Ｔ２、…内のタイミング情報に対応したタイミングでボーカル用ＤＳＰ６に順次供給するのである。このリニアＰＣＭデータの供給タイミングの制御は、上述したＭＩＤＩイベント等の実行タイミングの制御の際に使用した計時手段を用いて行う。ここで、ＣＤ再生部２に各ブロックのボーカルデータの読み出し指示が与えられてから、当該ブロックに対応したリニアＰＣＭデータが出力されるまでには一定の遅延時間が生じる。従って、記録再生部４は、同期用タグＴ０、Ｔ１、Ｔ２、…の付加された各ブロックに対応したリニアＰＣＭデータを再生する際、各々の再生タイミングよりも上記遅延時間分だけ先行し、各ブロックの再生指示をＣＤ再生部２へ送る。このようなタイミング制御が行われることにより、ボーカル音の再生が他の音楽情報の再生と同期して進められることとなる。
【００５８】
さて、息つぎをしないで長時間に亙ってボーカル音が持続するような場合には、収録したボーカル音波形を幾つかのブロックに分断し、各ブロックに同期用タグを付加してＣＤに記録する必要がある。図４に示す例では、タグＴ１およびＴ２の付加された各ブロックが時間的に連続した状態で描かれているが、これらは元々連続したボーカル音波形であったものを２分割し、各々ボーカルデータとしてＣＤに記録したものである。
【００５９】
このように時間的に連続したボーカルデータのブロックを再生する場合、各ボーカルデータの伸張処理の所要時間にむらが生じたりすると、各ボーカルデータに対応した各リニアＰＣＭデータが連続的に再生されないこととなる。
【００６０】
例えば図５に示す例では、タグＴ１の付加された先行ボーカルデータの伸張処理が早く終了してしまったため、タグＴ２の付加された後発ボーカルデータの伸張処理結果が得られるまでの間、リニアＰＣＭデータが全く再生されない無音状態となっている。
【００６１】
また、図６には、タグＴ１の付加された先行ボーカルデータの伸張処理が長引いてしまった場合の例が示されている。この例では、タグＴ２の付加された後発ボーカルデータの伸張処理が開始され、リニアＰＣＭデータの出力が開始される時点において、先行のもののリニアＰＣＭデータの出力が未だに終了していない。従って、この場合、先行のもののリニアＰＣＭデータの出力を強制的に停止する必要があるが、この停止を行うと、再生ボーカル音に耳障りなノイズが生じることとなる。
【００６２】
そこで、本実施形態では、ＣＤ再生部２内に２系統の再生系を設け、これらを用いて以下のように上記の問題に対処している。
【００６３】
まず、ＣＤから読み取られるボーカルデータの伸張処理は、ブロック単位で２系統の再生系を交互に使用することにより行う。そして、図５に示すように、先行のブロックの伸張処理が早く終了してしまう場合には、破線によって示すように、後発のブロックの伸張処理が開始されるまで先行のブロックの伸張処理を時間延長して行う（例えば最後の音のリニアＰＣＭデータを繰り返し出力する）。
【００６４】
一方、先行ボーカルデータの伸張処理が長引いた場合、先行ボーカルデータの伸張処理と後発ボーカルデータの伸張処理が２系統の再生系により時間的にオーバラップして行われる。そこで、このオーバラップ期間内は図６に破線で示すように、先行ボーカルデータから得られるリニアＰＣＭデータについてはそのレベルを徐々に減衰させ、他方、後発ボーカルデータから得られるリニアＰＣＭデータについてはそのレベルを０レベルから徐々に増大させ、各リニアＰＣＭデータを混合してＣＤ再生部２から出力する。いわゆるクロスフェードである。このクロスフェードを行うことにより、先行のリニアＰＣＭデータから後発のものへ自然に移りゆくことなり、耳障りなノイズの発生が防止される。
【００６５】
以上説明したように、本実施形態によれば、タグによって関連付けられた各パートの音楽情報を曲の進行に合わせて同期再生することができる。また、以上の説明では、ＣＤおよびＨＤ内の音楽情報を全て再生する場合を例に挙げたが、既に説明した通り、この音楽情報再生装置では、再生すべきパートを指定することができる。従って、例えばボーカルを除いたパートを再生すべきパートとして指定した場合には、ＨＤ内の歌詞データ、曲データ、ハモリ制御データのみが再生され、カラオケ装置としての動作が得られる。また、上記実施形態では、１種類の曲データを再生する場合を例に挙げたが、同一タグの付された複数パート分の曲データがＨＤ内に格納されている場合には、これらの全ての曲データが並行して再生されることとなる。勿論、全てのパートではなく、特定のパートの曲データに限定して再生することも可能である。
【００６６】
本発明の適用範囲は、上記実施形態に限定されるものではなく、以下のような種々の変形例が考えられる。
（１）ＨＤとして記憶容量の大きなものを使用することができる場合には、ＣＤからボーカルデータを読み出してＨＤ内に格納し、ＨＤからボーカルデータを含む全ての必要な音楽情報を読み出すようにしてもよい。この場合、１つの再生系により全ての音楽情報の同期再生が行われるので、タイミング制御が容易になるという利点がある。
【００６７】
（２）曲データとして、ＭＩＤＩイベントを含まず、音声波形を符号化したデジタルデータ（例えば上記実施形態におけるＡＤＰＣＭデータ等）のみからなるデータを使用してもよい。この場合、曲データをそのまま出力すればよいので、音源が不要になるという利点がある。
【００６８】
（３）音楽情報として、タイミング情報（上記実施形態ではデュレーション）を含まないものを取扱うようにしてもよい。例えば、ＣＤ再生部による再生動作の時間精度が十分に高い場合には、１曲分の音声波形をブロックに分割せず、同期用のタグも使用しないでボーカルデータを作成し、他の音楽情報と再生開始タイミングを揃えて再生を行うようにしてもよい。
【００６９】
（４）上記実施形態における音楽情報再生装置においては、同一の提供者から提供されたものであるか、複数の異なった提供者から提供されたものであるかに拘らず、同一のタグが付された音楽情報である限り、同一の曲に帰属するものとして取扱われる。従って、音楽情報を提供する複数の提供者間で、曲ごとに使用するタグを取り決めれば、需要者側では、同一曲を再生する場合であっても、様々な提供者から提供されるその曲の音楽情報を好みに合わせて選択し、再生することができる。
【００７０】
（５）上記実施形態では、ボーカルデータをＣＤに記録して供給する形態を例に挙げたが、衛星放送により供給するようにしてもよい。
【図面の簡単な説明】
【００７１】
【図１】この発明の一実施形態における音楽情報の供給形態を示す図である。
【図２】同供給形態の別の例を示す図である。
【図３】この発明の一実施形態である音楽情報再生装置の構成を示すブロック図である。
【図４】同実施形態の動作を示すタイムチャートである。
【図５】同実施形態におけるボーカルデータの再生処理を示すタイムチャートである。
【図６】同実施形態におけるボーカルデータの再生処理を示すタイムチャートである。
【符号の説明】
【００７２】
１……衛星放送受信部、２……ＣＤ再生部、３……ＨＤ駆動部、４……記録再生部、５……バックミュージック用ＤＳＰ、６……ボーカル用ＤＳＰ、７……音源、８……画像処理部、９……テレビジョン受像機
【図１】
2007133440.tif 000003
【図２】
2007133440.tif 000004
【図３】
2007133440.tif 000005
【図４】
2007133440.tif 000006
【図５】
2007133440.tif 000007
【図６】
2007133440.tif 000008